(57)【要約】【課題】容易に施工でき、しかも、施工後の見栄えも良いパネル材及びそれを用いた建築物を提供する。【解決手段】平面視六角形の中空筒状に形成された複数のセル２１ｄを互いに連ねたハニカムコア２１の表裏に面板２３，２４が貼り付けられたハニカムパネル２０と、ハニカムコア２１に形成された収容空間部２６に収容されてハニカムパネル２０に内蔵された構造材３０と、構造材３０とハニカムコア２１とを接合する接合部３６と、構造材３０の一部に設けられて他の構造材である柱１１に固定可能な支持部３５と、を備える。【選択図】図２
2019019480.tif 000002
【特許請求の範囲】
【請求項１】
平面視六角形の中空筒状に形成された複数のセルを互いに連ねたハニカムコアの表裏に面板が貼り付けられたハニカムパネルと、
前記ハニカムコアに形成された収容空間部に収容されて前記ハニカムパネルに内蔵された構造材と、
前記構造材と前記ハニカムコアとを接合する接合部と、
前記構造材の一部に設けられて他の構造材に固定可能な支持部と、
を備えることを特徴とするパネル材。
【請求項２】
前記ハニカムパネルは、前記構造材の前記支持部の位置における一方側の面材に窓部が形成され、前記窓部には、蓋体が液密的に組付け可能とされている
ことを特徴とする請求項１に記載のパネル材。
【請求項３】
請求項１または請求項２に記載のパネル材と、
立設された柱と、を備え、
前記柱の上端部に前記構造材の前記支持部が固定されて前記パネル材が側方へ張り出している
ことを特徴とする建築物。
【発明の詳細な説明】
【技術分野】
【０００１】
本発明は、例えば、庇、屋根、天井あるいは壁等に用いられるパネル材及びそれを用いた建築物に関する。
【背景技術】
【０００２】
近年、建築物に用いられるパネル材として、ハニカムコアの両面に面材を貼り合わせたハニカムパネルが用いられている。
【０００３】
このハニカムパネルからなるパネル材の支持構造として、Ｈ形鋼からなる支持部材に設けられたブラケットに取付金具を固着させ、フランジを介して取付金具にパネル材をボルトで締結して固定することで、支持部材を梁としてパネル材を吊り下げて支持させる構造が知られている（例えば、特許文献１参照）。
【先行技術文献】
【特許文献】
【０００４】
【特許文献１】特開２００７−３２７２０７号公報
【発明の概要】
【発明が解決しようとする課題】
【０００５】
上記の支持構造では、施工現場において、柱に梁を支持させ、その後、この梁にパネル材を固定して吊り下げることとなる。このため、施工に手間を要する。
また、施工後において、吊り下げたパネル材の上方にＨ形鋼からなる梁が露出してしまい、見栄えが良くなかった。
【０００６】
本発明の目的は、容易に施工でき、しかも、施工後の見栄えも良いパネル材及びそれを用いた建築物を提供することにある。
【課題を解決するための手段】
【０００７】
上記課題を解決することのできる本発明のパネル材は、
平面視六角形の中空筒状に形成された複数のセルを互いに連ねたハニカムコアの表裏に面板が貼り付けられたハニカムパネルと、
前記ハニカムコアに形成された収容空間部に収容されて前記ハニカムパネルに内蔵された構造材と、
前記構造材と前記ハニカムコアとを接合する接合部と、
前記構造材の一部に設けられて他の構造材に固定可能な支持部と、
を備える。
【０００８】
上記構成のパネル材によれば、ハニカムパネルに内蔵された構造材の支持部を他の構造材に固定させることで、他の構造材に容易に支持させることができ、施工現場で容易に施工することができる。しかも、他の構造材と固定される支持部を有する構造材がハニカムパネルに内蔵されているので、構造材が露出されることがなく、施工後の見栄えを良くすることができる。
【０００９】
本発明のパネル材において、
前記ハニカムパネルは、前記構造材の前記支持部の位置における一方側の面材に窓部が形成され、前記窓部には、蓋体が液密的に組付け可能とされていてもよい。
【００１０】
上記構成のパネル材によれば、支持部を他の構造材に固定させる固定作業を窓部から容易に行うことができる。また、施工後は、窓部に蓋体を組付けることで、窓部を塞いで見栄えを良くすることができ、しかも、窓部からの雨水などの浸入を抑制できる。
【００１１】
本発明の建築物は、
上記のパネル材と、
立設された柱と、を備え、
前記柱の上端部に前記構造材の前記支持部が固定されて前記パネル材が側方へ張り出している。
【００１２】
この構造の建築物によれば、柱の上端部に固定される構造材を内蔵したパネル材を備えるので、良好な外観を得ることができる。
【発明の効果】
【００１３】
本発明によれば、容易に施工でき、しかも、施工後の見栄えも良いパネル材及びそれを用いた建築物を提供できる。
【図面の簡単な説明】
【００１４】
【図１】本実施形態に係るパネル材を用いた建築物の斜視図である。
【図２】本実施形態に係るパネル材の一部を破断させた平面図である。
【図３】本実施形態に係るパネル材の内部構造を示す図であって、（ａ）は図２におけるＡ−Ａ断面図、（ｂ）は図２におけるＢ−Ｂ断面図である。
【図４】パネル材を構成するハニカムコアの斜視図である。
【図５】パネル材に内蔵された構造材の接合部における平面図である。
【図６】パネル材に内蔵された構造材の接合部における断面図である。
【図７】柱の上端部に固定されたパネル材の支持部を示す側方から視た断面図である。
【図８】柱の上端部に固定されたパネル材の支持部を示す正面から視た断面図である。
【発明を実施するための形態】
【００１５】
以下、本発明に係るパネル材及びそれを用いた建築物の実施の形態の例を、図面を参照して説明する。
【００１６】
図１は、本実施形態に係るパネル材を用いた建築物の斜視図である。
【００１７】
図１に示すように、本実施形態に係るパネル材１０は、複数（本例では４本）の柱１１に支持されている。柱１１は、並列に配置されており、これらの柱１１の上端に、パネル材１０の一方側の縁部が固定されている。これにより、パネル材１０は、柱１１の上端から側方へ張り出すように支持されて庇（建築物）Ｈを構成している。
【００１８】
図２は、本実施形態に係るパネル材の一部を破断させた平面図である。図３は、本実施形態に係るパネル材の内部構造を示す図であって、（ａ）は図２におけるＡ−Ａ断面図、（ｂ）は図２におけるＢ−Ｂ断面図である。
【００１９】
図２及び図３（ａ）（ｂ）に示すように、パネル材１０は、ハニカムパネル２０と、構造材３０とを備えている。ハニカムパネル２０は、ハニカムコア２１と、面板２３，２４と、側板２５とを有している。
【００２０】
図４は、パネル材を構成するハニカムコアの斜視図である。
【００２１】
図４に示すように、ハニカムコア２１は、平面視六角形の中空の筒状に形成された複数のセル２１ａを有している。セル２１ａは、同一厚さに形成されて互いに連なっている。これにより、ハニカムコア２１は、複数のセル２１ｄを有するハニカム構造とされて高強度な構造体とされている。
【００２２】
このハニカムコア２１は、例えば、アルミニウム等の金属で形成されている。アルミニウム製のハニカムコア２１は、腐食しづらく、メンテナンスが容易であり、しかも、加工性及びデザイン性に優れている。アルミニウム製のハニカムコア２１は、例えば、複数のアルミニウム板を積層し、その積層させたアルミニウム板同士の一部を接着剤により固着させ、これを積層方向に引き伸ばすことによって製造される。また、ハニカムコア２１は、押出成形によって一部が連結された複数のアルミニウム板を成形して引き伸ばすことで形成してもよい。なお、ハニカムコア２１としては、プラスチック等の樹脂から成形したものでもよい。
【００２３】
ハニカムコア２１は、平面視矩形状に形成されている。また、ハニカムコア２１には、複数（本例では４つ）の凹部からなる収容空間部２６（図２、図３参照）を有しており、これらの収容空間部２６は、ハニカムコア２１の一側縁２１ａで開口されている。
【００２４】
ハニカムコア２１は、その周囲にフレーム２２を有している。フレーム２２は、例えば、アルミニウムの押出材からなるもので、断面中空形状に形成されている。また、フレーム２２は、ハニカムコア２１の収容空間部２６の内周部にも設けられている。フレーム２２は、面板２３，２４に一体的に固定されている。
【００２５】
面板２３，２４は、ハニカムコア２１の表裏に貼り付けられている。面板２３，２４としては、例えば、アクリル樹脂板、アルミニウム板、スチール板あるいは繊維強化プラスチック板等の板材であり、ハニカムコア２１に対して接着材によって固定されている。
【００２６】
面板２３は、ハニカムコア２１の上面全体に貼り付けられている。面板２４は、ハニカムコア２１の下面全体に貼り付けられ、その一部がハニカムコア２１の一側縁２１ａから張り出した張出部２４ａとされている。
【００２７】
側板２５は、面板２３，２４と同様に、例えば、アクリル樹脂板、アルミニウム板、スチール板あるいは繊維強化プラスチック板等の板材である。側板２５は、ハニカムコア２１の両側の縁部２１ｂ及び他側縁２１ｃに固定されている。ハニカムコア２１の両側の縁部２１ｂに設けられた側板２５は、ハニカムコア２１の一側縁２１ａ側へ突出されて面板２４の張出部２４ａの縁部に固定されている。また、側板２５は、面板２４の張出部２４ａの縁部にも設けられている。そして、ハニカムパネル２０には、ハニカムコア２１の一側縁２１ａに、上方側が開放された窓部２７が設けられている。この窓部２７には、蓋体６０が嵌め込まれる。これにより、窓部２７は、蓋体６０によって塞がれる（図１参照）。
【００２８】
構造材３０は、ハニカムパネル２０のハニカムコア２１に形成されてフレーム２２が固定された収容空間部２６内に収容されている。この構造材３０は、その両側部が接合部３６によってハニカムコア２１のフレーム２２に接合されている。接合部３６は、構造材３０の長手方向に間隔をあけて設けられており、これにより、構造材３０は、その長手方向の複数箇所でハニカムコア２１のフレーム２２に接合され、ハニカムパネル２０と一体化されている。また、構造材３０は、その一端部がハニカムパネル２０の窓部２７側に突出され、支持部３５として窓部２７内に配置されている。
【００２９】
図５は、パネル材に内蔵された構造材の接合部における平面図である。図６は、パネル材に内蔵された構造材の接合部における断面図である。
【００３０】
図５及び図６に示すように、構造材３０は、上フランジ３１と、下フランジ３２と、ウェブ３３とを有するＨ形鋼からなる鋼材である。上フランジ３１と下フランジ３２とは、その幅方向の中央部がウェブ３３によって互いに連結されている。
【００３１】
接合部３６は、連結板４１と、一対の固定金具４２とを有している。連結板４１は、構造材３０の上フランジ３１、下フランジ３２及びウェブ３３で囲われた凹状の部分に挿し込まれて溶接等によって固定されている。固定金具４２は、固定板部４２ａと連結板部４２ｂとを有するＬ字状に形成されている。固定金具４２は、その固定板部４２ａがハニカムコア２１のフレーム２２にボルト４５によって締結されて固定されている。連結板４１は、フレーム２２に固定された固定金具４２の連結板部４２ｂ同士の間に配置されて互いに重ね合わされている。これらの連結板４１と一対の固定金具４２の連結板部４２ｂとは、ボルト４６及びナット４７によって互いに締結されて固定されている。
【００３２】
図７は、柱の上端部に固定されたパネル材の支持部を示す側方から視た断面図である。図８は、柱の上端部に固定されたパネル材の支持部を示す正面から視た断面図である。
【００３３】
図７及び図８に示すように、構造材３０の支持部３５には、下フランジ３２に固定ベース３７が溶接等によって固定されている。また、支持部３５には、その両側部に補強板３８が設けられている。補強板３８は、構造材３０と固定ベース３７とに溶接等によって固定されている。これにより、固定ベース３７が構造材３０の支持部３５に対して高強度で固定されている。
【００３４】
パネル材１０を支持する柱１１は、断面視角形状の鋼管からなる角形鋼管柱である。柱１１は、地盤に立設されており、その上端部には、鋼板からなる支持ベース５１が溶接等によって固定されている。また、柱１１の上端における両側部には、柱１１と支持ベース５１との隅部に溶接等によって補強板５２が固定されている。
【００３５】
この柱１１の上端にパネル材１０を支持させるには、柱１１の上端にパネル材１０を載置させ、パネル材１０の窓部２７に設けられた構造材３０の支持部３５を配置させ、固定ベース３７と支持ベース５１とを互いに重ね合わせる。
【００３６】
次に、互いに重ね合わせた固定ベース３７と支持ベース５１とを、ボルト５５及びナット５６によって締結する。これにより、柱１１の上端にパネル材１０の構造材３０の支持部３５を固定する。
【００３７】
その後、パネル材１０の窓部２７に蓋体６０を被せ、窓部２７を塞ぐ。すると、窓部２７の上縁部に設けられたシール材６１によって窓部２７と蓋体６０とがシールされる。
【００３８】
上記の作業によって柱１１にパネル材１０が支持された庇Ｈが構築される。
【００３９】
以上、説明したように、本実施形態に係るパネル材１０によれば、ハニカムパネル２０に内蔵された構造材３０の支持部３５を他の構造材である柱１１などに固定させることで、柱１１に容易に支持させることができ、施工現場で容易に施工することができる。しかも、柱１１と固定される支持部３５を有する構造材３０がハニカムパネル２０に内蔵されているので、構造材３０が露出されることがなく、施工後の見栄えを良くすることができる。
【００４０】
ところで、構造材の両側部にハニカムパネルを突き合わせて接合させ、さらに、構造材の表裏を板材で覆うことで、ハニカムパネル間の構造材の露出を抑えることもできる。しかし、この構造の場合、ハニカムパネルと構造材との繋ぎ目が目立ってしまい、しかも、雨水が継ぎ目を通過しないように、継ぎ目を複雑なシール構造でシールしなければならない。
【００４１】
これに対して、本実施形態に係るパネル材１０は、ハニカムパネル２０に構造材３０を内蔵した繋ぎ目のないパネルであるので、繋ぎ目がなく外観が良好であり、しかも、複雑なシール構造が不要である。
【００４２】
また、ハニカムパネル２０は、構造材３０の支持部３５の位置における一方側の面板２３に窓部２７が形成され、窓部２７には、蓋体６０が液密的に組付け可能とされている。したがって、支持部３５を他の構造材である柱１１に固定させる固定作業を窓部２７から容易に行うことができる。また、施工後は、窓部２７に蓋体６０を組付けることで、窓部２７を塞いで見栄えを良くすることができ、しかも、窓部２７からの雨水などの浸入を抑制できる。
【００４３】
そして、立設された柱１１の上端部に構造材３０の支持部３５を固定してパネル材１０を側方へ張り出させた庇Ｈからなる建築物によれば、柱１１の上端部に固定される構造材３０を内蔵したパネル材１０を備えるので、良好な外観を得ることができる。
【００４４】
なお、上記実施形態では、パネル材１０に内蔵された構造材３０の支持部３５が露出される窓部２７は、構造材３０の端部が露出されたハニカムパネル２０の一側縁２１ａに限らず、平面視においてハニカムパネル２０の内側に設けてもよい。
【００４５】
また、パネル材１０を用いた庇Ｈにおいて、その複数の柱１１の表裏を覆うようにハニカムパネル等のパネル材を貼り付けてもよく、このようにすれば、庇Ｈの外観をより良くすることができる。
【００４６】
また、パネル材１０は、庇Ｈに限らず、屋根、天井、床あるいは壁などに用いてもよい。
【符号の説明】
【００４７】
１０  パネル材
１１  柱（他の構造材）
２０  ハニカムパネル
２１  ハニカムコア
２１ｄ  セル
２３，２４  面板
２６  収容空間部
２７  窓部
３０  構造材
３５  支持部
３６  接合部
６０  蓋体
Ｈ    庇（建築物）
【図１】
2019019480.tif 000003
【図２】
2019019480.tif 000004
【図３】
2019019480.tif 000005
【図４】
2019019480.tif 000006
【図５】
2019019480.tif 000007
【図６】
2019019480.tif 000008
【図７】
2019019480.tif 000009
【図８】
2019019480.tif 000010